(57)【要約】【課題】製造工程をシンプルにすることができる表示装置を得る。【解決手段】映像を表示する表示部と、開状態と閉状態とを切り換え可能な複数の液晶バリア（開閉部１１，１２）を有するバリア部（液晶バリア部１０）とを備える。上記バリア部は、液晶バリアに対応する領域に設けられ、それぞれが突起部分３３０を有する複数のサブ電極を含むバリア電極（透明電極１１０，１２０）と、複数の液晶バリアに対応する領域の全面に共通に設けられた共通電極（透明電極層３２２）と、バリア電極と共通電極との間に設けられた液晶層３００とを含む。【選択図】図６
2012252274.tif 000002
【特許請求の範囲】
【請求項１】
映像を表示する表示部と、
開状態と閉状態とを切り換え可能な複数の液晶バリアを有するバリア部と
を備え、
前記バリア部は、
前記液晶バリアに対応する領域に設けられ、それぞれが突起部分を有する複数のサブ電極を含むバリア電極と、
前記複数の液晶バリアに対応する領域の全面に共通に設けられた共通電極と、
前記バリア電極と前記共通電極との間に設けられた液晶層と
を含む
表示装置。
【請求項２】
前記バリア部は、前記バリア電極と、支持基板上の前記突起部分に対応する部分に形成された突起パターンとを有する駆動基板を含み、
前記バリア電極は、前記支持基板上および前記突起パターン上の、前記液晶バリアに対応する領域に形成されている
請求項１に記載の表示装置。
【請求項３】
前記駆動基板は、
前記バリア電極および前記突起パターンのどちらとも異なる層に形成された、駆動信号を伝える複数の信号配線と、
前記バリア電極と同じ層に、前記信号配線のうちの少なくとも一本と交差するように形成された、前記信号配線の前記駆動信号を前記バリア電極に供給する引込配線と、
前記信号配線が形成された層と前記引込配線が形成された層との間の層において、その交差部分に形成された絶縁層と
をさらに有し、
前記突起パターンは、前記絶縁層と同じ材料で形成されている
請求項２に記載の表示装置。
【請求項４】
前記突起部分は、各サブ電極の中央に対応する位置に形成されている
請求項１に記載の表示装置。
【請求項５】
前記サブ電極は、各液晶バリアに対応する領域内において、隣接するサブ電極と互いに接続され、
その互いに接続されたサブ電極間にはスリットが形成されている
請求項１に記載の表示装置。
【請求項６】
前記バリア部は、
前記液晶層を挟んで配置された２枚の位相板を有する
請求項１に記載の表示装置。
【請求項７】
前記バリア部は、
前記位相板の前記液晶層が配置された側とは反対側に配置された偏光板を有する
請求項６に記載の表示装置。
【請求項８】
前記バリア部は、所定方向に延在する複数の第１系列の液晶バリアと複数の第２系列の液晶バリアを有する
請求項１に記載の表示装置。
【請求項９】
３次元映像表示モードおよび２次元映像表示モードを含む複数の表示モードを有し、
前記３次元映像表示モードでは、前記表示部が複数の異なる視点映像を表示し、前記複数の第１系列の液晶バリアが透過状態になるとともに、前記複数の第２系列の液晶バリアが遮断状態になることにより、３次元映像を表示し、
前記２次元映像表示モードでは、前記表示部が１つの視点映像を表示し、前記複数の第１系列の液晶バリアおよび前記複数の第２系列の液晶バリアが透過状態になることにより、２次元映像を表示する
請求項８に記載の表示装置。
【請求項１０】
前記複数の第１系列の液晶バリアは、複数のバリアグループにグループ分けされ、
前記３次元映像表示モードでは、前記複数の第１系列の液晶バリアは、バリアグループごとに、時分割的に開状態および閉状態との間で切り換わる
請求項９に記載の表示装置。
【請求項１１】
バックライトをさらに備え、
前記表示部は液晶表示部であり、
前記液晶表示部は、前記バックライトと前記バリア部との間に配置されている
請求項１に記載の表示装置。
【請求項１２】
バックライトをさらに備え、
前記表示部は液晶表示部であり、
前記バリア部は、前記バックライトと前記液晶表示部との間に配置されている
請求項１に記載の表示装置。
【請求項１３】
開状態と閉状態とを切り換え可能な液晶バリアに対応する領域に設けられ、それぞれが突起部分を有する複数のサブ電極を含むバリア電極と、
前記複数の液晶バリアに対応する領域の全面に共通に設けられた共通電極と、
前記バリア電極と前記共通電極との間に設けられた液晶層と
を備えた
バリア装置。
【請求項１４】
複数のサブ電極を含むバリア電極を形成する駆動基板製造工程と、
対向基板製造工程と、
前記駆動基板と前記対向基板との間に液晶層を封止する液晶層封止工程と
を含み、
前記駆動基板製造工程は、
支持基板に複数の信号配線を形成する信号配線形成工程と、
絶縁層を選択的に形成する絶縁層形成工程と、
前記信号配線が形成された層とは異なる層に、前記バリア電極、および前記信号配線から前記バリア電極への引込配線を形成する電極形成工程と
を含み、
前記絶縁層形成工程では、前記信号配線と前記引込配線との交差部分、および各サブ電極に対応する領域の一部に、前記絶縁層を形成する
バリア装置の製造方法。
【発明の詳細な説明】
【技術分野】
【０００１】
本開示は、立体視表示が可能なパララックスバリア方式の表示装置、およびそのような表示装置に用いられるバリア装置、ならびにバリア装置の製造方法に関する。
【背景技術】
【０００２】
近年、立体視表示を実現できる表示装置が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。
【０００３】
このような表示装置は、専用の眼鏡が必要なものと、不要なものとに大別されるが、観察者にとっては専用の眼鏡は煩わしく感じるものであり、専用の眼鏡が不要なものが望まれている。専用の眼鏡が不要な表示装置としては、例えば、レンチキュラーレンズ方式や、視差バリア（パララックスバリア）方式などがある。これらの方式では、互いに視差がある複数の映像（視点映像）を同時に表示し、表示装置と観察者の視点との相対的な位置関係（角度）によって見える映像が異なるようになっている。例えば、特許文献１には、バリアとして液晶素子を用いた、パララックスバリア方式の表示装置が開示されている。
【０００４】
ところで、液晶素子を用いる場合には、液晶分子を所望の方向に配向しやすくすることが望ましい。例えば、特許文献２，３には、画素電極に開口または突起を設けることにより、液晶分子を配向しやすくする液晶表示装置が開示されている。
【先行技術文献】
【特許文献】
【０００５】
【特許文献１】特開平３−１１９８８９号公報
【特許文献２】特開２０１１−２２４９１号公報
【特許文献３】特開２００８−２１６４２３号公報
【発明の概要】
【発明が解決しようとする課題】
【０００６】
ところで、一般に、電子機器は、製造コストなどの観点から、製造工程の工程数の削減が望まれており、表示装置の分野においても、製造工程をシンプルにすることが期待されている。
【０００７】
本開示はかかる問題点に鑑みてなされたもので、その目的は、製造工程をシンプルにすることができる表示装置、バリア装置、バリア装置の製造方法を提供することにある。
【課題を解決するための手段】
【０００８】
本開示の表示装置は、表示部と、バリア部とを備えている。表示部は、映像を表示するものである。バリア部は、開状態と閉状態とを切り換え可能な複数の液晶バリアを有するものである。上記バリア部は、液晶バリアに対応する領域に設けられ、それぞれが突起部分を有する複数のサブ電極を含むバリア電極と、複数の液晶バリアに対応する領域の全面に共通に設けられた共通電極と、バリア電極と共通電極との間に設けられた液晶層とを含むものである。
【０００９】
本開示のバリア装置は、バリア電極と、共通電極と、液晶層とを備えている。バリア電極は、開状態と閉状態とを切り換え可能な液晶バリアに対応する領域に設けられ、それぞれが突起部分を有する複数のサブ電極を含むものである。共通電極は、複数の液晶バリアに対応する領域の全面に共通に設けられたものである。液晶層は、バリア電極と共通電極との間に設けられたものである。
【００１０】
本開示のバリア装置の製造方法は、駆動基板製造工程と、対向基板製造工程と、液晶層封止工程とを含んでいる。駆動基板製造工程は、複数のサブ電極を含むバリア電極を形成するものである。液晶層封止工程は、駆動基板と対向基板との間に液晶層を封止するものである。上記駆動基板製造工程は、支持基板に複数の信号配線を形成する信号配線形成工程と、絶縁層を選択的に形成する絶縁層形成工程と、信号配線が形成された層とは異なる層に、バリア電極、および信号配線からバリア電極への引込配線を形成する電極形成工程とを含んでいる。上記絶縁層形成工程では、信号配線と引込配線との交差部分、および各サブ電極に対応する領域の一部に、絶縁層を形成するものである。
【００１１】
本開示の表示装置、バリア装置、およびバリア装置の製造方法では、液晶バリアを透過状態にすることにより、表示部に表示された映像が観察者に視認される。この液晶バリアでは、液晶分子を配向しやすくするための突起部分が、各サブ電極に設けられている。
【発明の効果】
【００１２】
本開示の表示装置、バリア装置、およびバリア装置の製造方法によれば、各サブ電極に突起部分を設けるようにしたので、製造方法をシンプルにすることができる。
【図面の簡単な説明】
【００１３】
【図１】本開示の実施の形態に係る立体表示装置の一構成例を表すブロック図である。
【図２】図１に示した立体表示装置の一構成例を表す説明図である。
【図３】図１に示した表示駆動部の一構成例を表すブロック図である。
【図４】図１に示した表示部の一構成例を表す説明図である。
【図５】図１に示した液晶バリア部の一構成例を表す説明図である。
【図６】図１に示した液晶バリア部の一構成例を表す断面図である。
【図７】図６に示した駆動基板の一構成例を表す平面図である。
【図８】図５に示した開閉部のグループ構成例を表す説明図である。
【図９】図５に示した開閉部への信号配線の一構成例を表す平面図である。
【図１０】図９に示した信号配線の一構成例を表す断面図である。
【図１１】図１に示した表示部および液晶バリア部の関係を表す模式図である。
【図１２】図１に示した表示部および液晶バリア部の一動作例を表す模式図である。
【図１３】図１に示した液晶バリア部における液晶分子の振る舞いを表す模式図である。
【図１４】図１に示した液晶バリア部の製造工程を表すフローチャートである。
【図１５】比較例に係る液晶バリア部の一構成例を表す平面図である。
【図１６】比較例に係る液晶バリア部の一構成例を表す断面図である。
【図１７】比較例に係る液晶バリア部における液晶分子の振る舞いを表す模式図である。
【図１８】比較例に係る液晶バリア部の製造工程を表すフローチャートである。
【図１９】変形例に係る立体表示装置の一構成例を表す説明図である。
【図２０】図１９に示した表示部および液晶バリア部の一動作例を表す模式図である。
【図２１】他の変形例に係る表示部および液晶バリア部の関係を表す模式図である。
【図２２】他の変形例に係る駆動基板の一構成例を表す平面図である。
【図２３】他の変形例に係る駆動基板の一構成例を表す平面図である。
【図２４】他の変形例に係る液晶バリア部の一構成例を表す説明図である。
【発明を実施するための形態】
【００１４】
以下、本開示の実施の形態について、図面を参照して詳細に説明する。
【００１５】
＜実施の形態＞
［構成例］
（全体構成例）
図１は、実施の形態に係る立体表示装置１の一構成例を表すものである。立体表示装置１は、液晶バリアを用いた、パララックスバリア方式の表示装置である。なお、本開示の実施の形態に係るバリア装置、バリア装置の駆動方法は、本実施の形態により具現化されるので、併せて説明する。立体表示装置１は、制御部４１と、バックライト駆動部４２と、バックライト３０と、表示駆動部５０と、表示部２０と、バリア駆動部４３と、液晶バリア部１０とを備えている。
【００１６】
制御部４１は、外部より供給される映像信号Ｓdispに基づいて、バックライト駆動部４２、表示駆動部５０、およびバリア駆動部４３に対してそれぞれ制御信号を供給し、これらがお互いに同期して動作するように制御する回路である。具体的には、制御部４１は、バックライト駆動部４２に対してバックライト制御信号ＣＢＬを供給し、表示駆動部５０に対して映像信号Ｓdispに基づく映像信号Ｓを供給し、バリア駆動部４３に対してバリア制御信号ＣＢＲを供給するようになっている。ここで、映像信号Ｓは、立体表示装置１が立体視表示を行う場合に、後述するように、それぞれが複数（この例では６つ）の視点映像を含む映像信号ＳＡ，ＳＢから構成されるものである。
【００１７】
バックライト駆動部４２は、制御部４１から供給されるバックライト制御信号ＣＢＬに基づいてバックライト３０を駆動するものである。バックライト３０は、表示部２０に対して面発光した光を射出する機能を有している。バックライト３０は、例えば、ＬＥＤ（Light Emitting Diode）や、ＣＣＦＬ（Cold Cathode Fluorescent Lamp）などを用いて構成されるものである。
【００１８】
表示駆動部５０は、制御部４１から供給される映像信号Ｓに基づいて表示部２０を駆動するものである。表示部２０は、この例では液晶表示部であり、液晶表示素子を駆動して、バックライト３０から射出した光を変調することにより表示を行うようになっている。
【００１９】
バリア駆動部４３は、制御部４１から供給されるバリア制御信号ＣＢＲに基づいて、バリア駆動信号ＤＲＶ（後述するバリア駆動信号ＤＲＶ１１，ＤＲＶ１２Ａ，ＤＲＶ１２Ｂ）を生成し、液晶バリア部１０に供給するものである。液晶バリア部１０は、バックライト３０から射出し表示部２０を透過した光を透過（開動作）または遮断（閉動作）するものであり、液晶を用いて構成された複数の開閉部１１，１２（後述）を有している。
【００２０】
図２は、立体表示装置１の要部の一構成例を表すものであり、（Ａ）は立体表示装置１の分解斜視構成を示し、（Ｂ）は立体表示装置１の側面図を示す。図２に示したように、立体表示装置１では、これらの各部品は、バックライト３０、表示部２０、および液晶バリア部１０の順に配置されている。つまり、バックライト３０から射出した光は、表示部２０および液晶バリア部１０を介して、観察者に届くようになっている。
【００２１】
（表示駆動部５０および表示部２０）
図３は、表示駆動部５０のブロック図の一例を表すものである。表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４１から供給された映像信号Ｓを映像信号Ｓ１としてデータドライバ５３へ供給するものである。ゲートドライバ５２は、タイミング制御部５１によるタイミング制御に従って、表示部２０内の画素Ｐixを行ごとに順次選択して、線順次走査するものである。データドライバ５３は、表示部２０の各画素Ｐixへ、映像信号Ｓ１に基づく画素信号を供給するものである。具体的には、データドライバ５３は、映像信号Ｓ１に基づいてＤ／Ａ（デジタル／アナログ）変換を行うことにより、アナログ信号である画素信号を生成し、各画素Ｐixへ供給するようになっている。
【００２２】
図４は、表示部２０の一構成例を表すものであり、（Ａ）は画素Ｐixを構成するサブ画素ＳＰixの回路図の一例を示し、（Ｂ）は表示部２０の断面構成を示す。
【００２３】
画素Ｐixは、赤色（Ｒ）、緑色（Ｇ）、青色（Ｂ）にそれぞれ対応する３つのサブ画素ＳＰixを有している。各サブ画素ＳＰixは、図４（Ａ）に示したように、ＴＦＴ（Thin Film Transistor）素子Ｔｒと、液晶素子ＬＣと、保持容量素子Ｃapとを備えている。ＴＦＴ素子Ｔｒは、例えばＭＯＳ−ＦＥＴ（Metal Oxide Semiconductor-Field Effect Transistor）により構成されるものであり、ゲートがゲート線ＧＣＬに接続され、ソースがデータ線ＳＧＬに接続され、ドレインが液晶素子ＬＣの一端と保持容量素子Ｃapの一端に接続されている。液晶素子ＬＣは、一端がＴＦＴ素子Ｔｒのドレインに接続され、他端は接地されている。保持容量素子Ｃapは、一端がＴＦＴ素子Ｔｒのドレインに接続され、他端は保持容量線Ｃｓに接続されている。ゲート線ＧＣＬはゲートドライバ５２に接続され、データ線ＳＧＬはデータドライバ５３に接続されている。
【００２４】
表示部２０は、図４（Ｂ）に示したように、駆動基板２０１と対向基板２０５との間に、液晶層２０３を封止したものである。駆動基板２０１は、上記ＴＦＴ素子Ｔｒを含む画素駆動回路（図示せず）が形成されたものであり、この駆動基板２０１上には、サブ画素ＳＰix毎に画素電極２０２が配設されている。対向基板２０５には、赤色（Ｒ）、緑色（Ｇ）、青色（Ｂ）に対応するカラーフィルタ（図示せず）が形成されており、更に液晶層２０３側の面には、対向電極２０４が各サブ画素ＳＰixに共通の電極として配設されている。表示部２０の光入射側（ここでは、バックライト３０側）および光出射側（ここでは、液晶バリア部１０側）には、偏光板２０６ａ，２０６ｂが、互いにクロスニコルまたはパラレルニコルとなるように貼り合わせられている。
【００２５】
（液晶バリア部１０およびバリア駆動部４３）
図５は、液晶バリア部１０の一構成例を表すものである。液晶バリア部１０は、いわゆるパララックスバリアであり、光を透過または遮断する、交互に配置された複数の開閉部（液晶バリア）１１，１２を有している。これらの開閉部１１，１２は、立体表示装置１が通常表示（２次元表示）および立体視表示のどちらを行うかにより、異なる動作を行うものである。具体的には、開閉部１１は、後述するように、通常表示の際には開状態（透過状態）になり、立体視表示を行う際には、閉状態（遮断状態）となるものである。また、開閉部１２は、後述するように、通常表示の際には開状態（透過状態）、立体視表示の際には、時分割的に開閉動作を行うものである。なお、この例では、液晶バリア部１０はノーマリーブラック動作を行うものである。つまり、液晶バリア部１０は、駆動されていない状態では光を遮断するものである。
【００２６】
これらの開閉部１１，１２は、ＸＹ平面における一方向（ここでは、例えば垂直方向Ｙから所定の角度θをなす方向）に延在して設けられている。角度θは、例えば１８度に設定可能である。このように、開閉部１１，１２を斜め方向に延伸するように形成することにより、立体表示装置１のモアレを低減することができる。開閉部１１の幅Ｅ１と、開閉部１２の幅Ｅ２とは、この例では互いに異なっており、ここでは例えばＥ１＞Ｅ２となっている。但し、開閉部１１，１２の幅の大小関係はこれに限定されず、Ｅ１＜Ｅ２であってもよく、また、Ｅ１＝Ｅ２であってもよい。このような開閉部１１，１２は、液晶層（後述する液晶層３００）を含んで構成されており、この液晶層３００への駆動電圧によって、開状態（透過状態）と閉状態（遮断状態）との間で切り替わるようになっている。
【００２７】
図６は、液晶バリア部１０の断面構成を表すものである。図７は、液晶バリア部１０の一構成例を表すものである。ここで、図６は、図７に示した液晶バリア部１０のＶＩ−ＶＩ矢視方向の断面構成を表すものである。
【００２８】
図６に示したように、液晶バリア部１０は、駆動基板３１０と、対向基板３２０との間に液晶層３００を備えている。
【００２９】
駆動基板３１０は、透明基板３１１と、絶縁層３１３と、透明電極層３１４と、λ／４板３１５と、偏光板３１６とを備えている。透明基板３１１は、例えばガラス等から構成されるものである。透明基板３１１には、後述するように、例えば液晶バリア部１０の外周部などに、信号配線層３１２（後述）が形成される。そして、その後に、例えばＳｉＮにより構成される絶縁層３１３が選択的に形成され、さらにその後に透明電極層３１４が形成されている。透明電極層３１４は、例えばＩＴＯ（Indium Tin Oxide）等の透明導電膜により構成されている。この透明電極層３１４の上には、図示しない配向膜が形成されている。透明基板３１１の、透明電極層３１４などが形成された面とは反対の面には、λ／４板３１５および偏光板３１６がこの順に貼り付けられている。
【００３０】
対向基板３２０は、透明基板３２１と、透明電極層３２２と、λ／４板３２３と、偏光板３２４とを備えている。透明基板３２１は、透明基板３１１と同様に、例えばガラス等から構成されるものである。この透明基板３２１の上には、透明電極層３２２が形成されている。この透明電極層３２２は、全面にわたって一様に形成された、いわゆる共通電極であり、透明電極層３１４と同様に、例えばＩＴＯ等の透明導電膜により構成されている。この共通電極には、共通電圧Ｖcom（例えば０Ｖ）が印加されている。そして、透明電極層３２２の上には、図示しない配向膜が形成されている。透明基板３２１の、透明電極層３２２などが形成された面とは反対の面には、λ／４板３２３および偏光板３２４がこの順で貼り付けられている。
【００３１】
偏光板３１６，３２４は、入力光から透過軸方向の直線偏光成分を抽出するものである。偏光板３１６と偏光板３２４とは、互いにクロスニコルになるように貼り合わせられている。具体的には、例えば、偏光板３１６の透過軸は水平方向Ｘに配置され、偏光板３２６の透過軸は垂直方向Ｙに配置されている。また、λ／４板３１５，３２３は、光を円偏光と直線偏光との間で変換するものである。λ／４板３１５とλ／４板３２３とは、遅相軸が互いに９０度ずれるように配置されている。
【００３２】
液晶層３００は、配向方向により光の透過率Ｔを変化させることができるものであり、例えば、負の誘電率異方性を有する液晶分子を含むものである。この液晶分子は、配向膜により、垂直配向されるものである。
【００３３】
透明電極層３１４は、突起部分３３０（後述）が形成された複数の透明電極１１０，１２０を有している。そして、透明電極層３１４の透明電極１１０、液晶層３００および透明電極層３２２におけるその透明電極１１０に対応する部分は、開閉部１１を構成している。同様に、透明電極層３１４の透明電極１２０、液晶層３００および透明電極層３１２におけるその透明電極１２０に対応する部分は、開閉部１２を構成している。このような構成により、液晶バリア部１０では、透明電極層３２２に共通電圧Ｖcomを印加するとともに、透明電極１１０または透明電極１２０に電圧を選択的に印加することにより、液晶層３００がその電圧に応じた液晶配向になり、開閉部１１，１２毎の開閉動作を行うことができるようになっている。
【００３４】
透明電極層３１４の複数の透明電極１１０，１２０には、それぞれ、図７に示したように、開閉部１１，１２の延伸方向と同じ方向（垂直方向Ｙから所定の角度θをなす方向）に沿ってサブ電極領域１７０が並設されて、各サブ電極領域１７０の中心付近において、突起部分３３０が形成されている。この突起部分３３０は、図６に示したように、透明電極層３１４が、各サブ電極領域１７０の中心付近に形成された絶縁層３１３（突起パターン）を覆うように形成されることにより、突起形状を成したものである。また、透明電極１１０，１２０には、開閉部１１，１２の延伸方向に互いに隣接するサブ電極領域１７０の境界部分において、水平方向Ｘから所定の角度αをなす方向に延伸するスリット１６０が形成されている。このように、液晶バリア部１０では、透明電極１１０，１２０に突起部分３３０を設けるようにしたので、後述するように、液晶分子が所望の方向に配向しやすくなっている。
【００３５】
なお、図７では、角度αは、開閉部１１，１２の延伸方向と垂直方向Ｙとの間の角度θとほぼ等しくなっているが、これに限定されるものではない。すなわち、角度αは、角度θと同じでもよいし、角度θと異なっていてもよい。
【００３６】
液晶バリア部１０では、開閉部１２は複数のグループにグループ分けされ、立体視表示を行う際、同じグループに属する複数の開閉部１２が、同じタイミングで開動作および閉動作を行うようになっている。以下に、開閉部１２のグループについて説明する。
【００３７】
図８は、開閉部１２のグループ構成例を表すものである。開閉部１２は、この例では２つのグループにグループ分けされている。具体的には、グループＡを構成する開閉部１２と、グループＢを構成する開閉部１２とが、交互に配置されている。なお、以下では、グループＡに属する開閉部１２の総称として開閉部１２Ａを適宜用い、同様に、グループＢに属する開閉部１２の総称として開閉部１２Ｂを適宜用いるものとする。
【００３８】
図９は、開閉部１１，１２に対してバリア駆動信号ＤＲＶを供給する信号配線の一構成例を表すものであり、図１０は、図９に示した駆動基板３１０のＸ−Ｘ矢視方向の断面構成を表すものである。
【００３９】
駆動基板３１０には、開閉部１１，１２を取り囲む外周部において、これらの開閉部１１，１２に対してバリア駆動信号ＤＲＶを供給するための信号配線Ｌ１１，Ｌ１２Ａ，Ｌ１２Ｂ（信号配線層３１２）が形成されている。これらの信号配線Ｌ１１，Ｌ１２Ａ，Ｌ１２Ｂは、例えばアルミニウム、モリブデン、チタンなどの金属により形成される。そして、これらの信号配線Ｌ１１，Ｌ１２Ａ，Ｌ１２Ｂ上には、図１０に示したように、絶縁層３１３が形成される。すなわち、この絶縁層３１３は、サブ電極領域１７０の中央付近に形成される絶縁層３１３（図６）と同じ製造工程において形成されるものである。そして、信号配線Ｌ１１，Ｌ１２Ａ，Ｌ１２Ｂは、それぞれ、コンタクトＣontおよび引込配線部Ｌinを介して、開閉部１１の透明電極１１０、開閉部１２Ａの透明電極１２０、開閉部１２Ｂの透明電極１２０と接続されている。すなわち、信号配線Ｌ１１，Ｌ１２Ａ，Ｌ１２Ｂの上部に形成された絶縁層３１３は、信号配線Ｌ１１，Ｌ１２Ａ，Ｌ１２Ｂと引込配線Ｌinとを電気的に分離しつつ交差させるためのものである。また、この例では、コンタクトＣontおよび引込配線部Ｌinは、ＩＴＯにより構成され、透明電極１１０，１２０と一体として形成されている。この構成により、バリア駆動部４３は、生成したバリア駆動信号ＤＲＶ１１を、信号配線Ｌ１１を介して複数の開閉部１１に同時に供給し、生成したバリア駆動信号ＤＲＶ１２Ａを、信号配線Ｌ１２Ａを介して複数の開閉部１２Ａに同時に供給し、生成したバリア駆動信号ＤＲＶ１２Ｂを、信号配線Ｌ１２Ｂを介して複数の開閉部１２Ｂに同時に供給するようになっている。
【００４０】
バリア駆動部４３は、立体視表示を行う際、同じグループに属する複数の開閉部１２が同じタイミングで開閉動作を行うように駆動する。具体的には、バリア駆動部４３は、後述するように、グループＡに属する複数の開閉部１２Ａと、グループＢに属する複数の開閉部１２Ｂとを、時分割的に交互に開閉動作するように駆動する。
【００４１】
図１１は、立体視表示および通常表示（２次元表示）を行う場合の液晶バリア部１０の状態を、断面構造を用いて模式的に表すものであり、（Ａ）は立体視表示を行う一状態を示し、（Ｂ）は立体視表示を行う他の状態を示し、（Ｃ）は通常表示を行う状態を示す。液晶バリア部１０には、開閉部１１および開閉部１２（開閉部１２Ａ，１２Ｂ）が交互に配置されている。この例では、開閉部１２Ａは、表示部２０の６つの画素Ｐixに１つの割合で設けられている。同様に、開閉部１２Ｂは、表示部２０の６つの画素Ｐixに１つの割合で設けられている。図１１では、液晶バリア部１０の開閉部１１，１２Ａ，１２Ｂのうち、光が遮断される開閉部を斜線で示している。
【００４２】
立体視表示を行う場合には、表示駆動部５０に映像信号ＳＡ，ＳＢが交互に供給され、表示部２０はそれらに基づいて表示を行う。そして、液晶バリア部１０では、開閉部１１が閉状態（遮断状態）を維持するとともに、開閉部１２（開閉部１２Ａ，１２Ｂ）が時分割的に開閉動作を行う。具体的には、映像信号ＳＡが供給された場合には、図１１（Ａ）に示したように、開閉部１２Ａが開状態になるとともに、開閉部１２Ｂが閉状態になる。表示部２０では、後述するように、この開閉部１２Ａに対応した位置に配置された互いに隣接する６つの画素Ｐixが、映像信号ＳＡに含まれる６つの視点映像に対応する表示を行う。これにより、観察者は、後述するように、例えば左眼と右眼とで異なる視点映像を見ることにより、表示された映像を立体的な映像として感じるようになっている。同様に、映像信号ＳＢが供給された場合には、図１１（Ｂ）に示したように、開閉部１２Ｂが開状態になるとともに、開閉部１２Ａが閉状態になる。表示部２０では、後述するように、この開閉部１２Ｂに対応した位置に配置された互いに隣接する６つの画素Ｐixが、映像信号ＳＢに含まれる６つの視点映像に対応する表示を行う。これにより、観察者は、後述するように、例えば左眼と右眼とで異なる視点映像を見ることにより、表示された映像を立体的な映像として感じるようになっている。立体表示装置１では、このように、開閉部１２Ａと開閉部１２Ｂを交互に開放して映像を表示することにより、後述するように、表示装置の解像度を高めることができるようになっている。
【００４３】
また、通常表示（２次元表示）を行う場合には、液晶バリア部１０では、図１１（Ｃ）に示したように、開閉部１１および開閉部１２（開閉部１２Ａ，１２Ｂ）がともに開状態（透過状態）を維持するようになっている。これにより、観察者は、映像信号Ｓに基づいて表示部２０に表示された通常の２次元映像をそのまま見ることができる。
【００４４】
ここで、液晶バリア部１０は、本開示における「バリア部」の一具体例に対応する。開閉部１１，１２は、本開示における「液晶バリア」の一具体例に対応する。開閉部１２は、本開示における「第１系列の液晶バリア」の一具体例に対応し、開閉部１１は、本開示における「第２系列の液晶バリア」の一具体例に対応する。透明電極１１０，１２０は、本開示における「バリア電極」の一具体例に対応する。サブ電極領域１７０の透明電極１１０，１２０は、本開示における「サブ電極」の一具体例に対応する。透明電極層３２２の電極は、本開示における「共通電極」の一具体例に対応する。λ／４板３１５，３２３は、本開示における「位相板」の一具体例に対応する。
【００４５】
［動作および作用］
続いて、本実施の形態の立体表示装置１の動作および作用について説明する。
【００４６】
（全体動作概要）
まず、図１を参照して、立体表示装置１の全体動作概要を説明する。制御部４１は、外部より供給される映像信号Ｓdispに基づいて、バックライト駆動部４２、表示駆動部５０、バリア駆動部４３に対してそれぞれ制御信号を供給し、これらがお互いに同期して動作するように制御する。バックライト駆動部４２は、バックライト３０を駆動する。バックライト３０は、面発光した光を表示部２０に対して射出する。表示駆動部５０は、制御部４１から供給される映像信号Ｓに基づいて表示部２０を駆動する。表示部２０は、バックライト３０から射出した光を変調することにより表示を行う。バリア駆動部４３は、バリア駆動信号ＤＲＶを用いて液晶バリア部１０を駆動する。液晶バリア部１０の開閉部１１，１２（１２Ａ，１２Ｂ）は、バリア駆動信号ＤＲＶに基づいてそれぞれ開閉動作を行い、バックライト３０から射出し表示部２０を透過した光を透過または遮断する。
【００４７】
（詳細動作）
図１２は、表示部２０および液晶バリア部１０の立体視表示の際の動作例を表すものであり、（Ａ）は、映像信号ＳＡが供給された場合を示し、（Ｂ）は映像信号ＳＢが供給された場合を示す。
【００４８】
映像信号ＳＡが供給された場合には、図１２（Ａ）に示したように、表示部２０の画素Ｐixのそれぞれは、映像信号ＳＡに含まれる６つの視点映像のそれぞれに対応する画素情報Ｐ１〜Ｐ６を表示する。このとき、画素情報Ｐ１〜Ｐ６は、開閉部１２Ａ付近に配置された画素Ｐixにそれぞれ表示される。映像信号ＳＡが供給された場合には、液晶バリア部１０では、開閉部１２Ａが開状態（透過状態）になるとともに、開閉部１２Ｂが閉状態になるように制御される。表示部２０の各画素Ｐixから出た光は、開閉部１２Ａによりそれぞれ角度が制限されて出力される。観察者は、例えば左眼で画素情報Ｐ３を、右眼で画素情報Ｐ４を見ることにより、立体的な映像を見ることができる。
【００４９】
映像信号ＳＢが供給された場合には、図１２（Ｂ）に示したように、表示部２０の画素Ｐixのそれぞれは、映像信号ＳＢに含まれる６つの視点映像のそれぞれに対応する画素情報Ｐ１〜Ｐ６を表示する。このとき、画素情報Ｐ１〜Ｐ６は、開閉部１２Ｂ付近に配置された画素Ｐixにそれぞれ表示される。映像信号ＳＢが供給された場合には、液晶バリア部１０では、開閉部１２Ｂが開状態（透過状態）になるとともに、開閉部１２Ａが閉状態になるように制御される。表示部２０の各画素Ｐixから出た光は、開閉部１２Ｂによりそれぞれ角度が制限されて出力される。観察者は、例えば左眼で画素情報Ｐ３を、右眼で画素情報Ｐ４を見ることにより、立体的な映像を見ることができる。
【００５０】
このように、観察者は、左眼と右眼とで、画素情報Ｐ１〜Ｐ６のうちの異なる画素情報を見ることとなり、観察者は立体的な映像として感じることができる。また、開閉部１２Ａと開閉部１２Ｂを時分割的に交互に開放して映像を表示することにより、観察者は、互いにずれた位置に表示される映像を平均化して見ることとなる。よって、立体表示装置１は、開閉部１２Ａのみをもつ場合に比べ、２倍の解像度を実現することが可能となる。言い換えれば、立体表示装置１の解像度は、２次元表示の場合に比べ１／３（＝１／６×２）で済むこととなる。
【００５１】
立体表示装置１では、液晶バリア部１０の透明電極１１０，１２０に突起部分３３０が形成されている。これにより、液晶分子が所望の方向に配向しやすくなる。以下に、その詳細を説明する。
【００５２】
図１３は、開閉部１２における液晶分子の振る舞いを模式的に表すものであり、（Ａ）は開閉部１２が閉状態（遮断状態）の場合を示し、（Ｂ）は開閉部１２が開状態（透過状態）の場合を示す。この図１３は、負の誘電率異方性を有する液晶分子を、垂直配向させた場合を示している。なお、この例では開閉部１２について説明するが、開閉部１１についても全く同様である。
【００５３】
透明電極１２０に０Ｖの電圧が印加された場合には、図１３（Ａ）に示したように、共通電極（透明電極層３２２）の電圧との間の電位差が０Ｖになるため、液晶層３００における液晶分子Ｍの長軸は、基板面に垂直な方向に配向する。このとき、液晶層３００の光の透過率Ｔが低下し、開閉部１２は閉状態（遮断状態）となる。
【００５４】
一方、透明電極１２０に電圧Ｖが印加された場合には、図１３（Ｂ）に示したように、共通電極（透明電極層３２２）の電圧との間の電位差に基づいて、等電位面ＳＣＶが生成される。そして、液晶分子Ｍの長軸は、その等電位面ＳＣＶに沿う方向に配向する。すなわち、液晶層３００では、透明電極１２０に印加される電圧が０Ｖ（図１３（Ａ））から電圧Ｖ（図１３（Ｂ））に変化すると、液晶分子Ｍが倒れ、図１３（Ｂ）のように配向する。その際、透明電極１２０に突起部分３３０があるため、等電位面ＳＣＶは基板面と平行にはならず、突起部分３３０に対応する部分でゆがんだものとなる。言い換えれば、液晶層３００における電場は、突起部分３３０に対応する部分において、基板面に平行な方向の成分を持つ。これにより、液晶分子Ｍは、透明電極１２０に印加された電圧に応じて、図１３（Ｂ）に示したように容易に倒れて配向することができる。
【００５５】
（液晶バリア部１０の製造工程）
次に、液晶バリア部１０の製造工程について説明する。
【００５６】
図１４は、液晶バリア部１０の製造工程を表すものである。液晶バリア部１０の製造工程では、まず、駆動基板３１０と対向基板３２０を製造し、これらの基板の間に液晶層３００を封止する。以下に、その詳細を説明する。
【００５７】
まず、駆動基板３１０の製造工程Ｐ１において、透明基板３１１の表面に、信号配線層３１２を例えば蒸着法やスパッタ法により成膜した後、フォトリソグラフィ法もしくはドライエッチング法によりパターニングし、信号配線Ｌ１１，Ｌ１２Ａ，Ｌ１２Ｂを形成する（ステップＳ１１）。次に、絶縁層３１３を、例えばプラズマＣＶＤ法により、所望の厚みとなるように成膜した後、信号配線Ｌ１１，Ｌ１２Ａ，Ｌ１２Ｂの上部や、サブ電極領域１７０に対応する領域の中央付近（突起部分３３０に対応する部分）などにパターンが形成されるように、フォトリソグラフィ法によりパターニングする（ステップＳ１２）。次いで、透明電極層３１４を例えば蒸着法やスパッタ法により成膜した後、フォトリソグラフィ法によりパターニングし、引込配線Ｌinおよび透明電極１１０，１２０を形成する（ステップＳ１３）。その際、絶縁層３１３にはコンタクトホールを設け、このコンタクトホールを介して信号配線Ｌ１１，Ｌ１２Ａ，Ｌ１２Ｂと引込配線Ｌinとをそれぞれに電気的に接続する。そして、透明電極層３１４が形成された面の表面を覆うように、例えばスピンコート法により垂直配向剤を塗布し、ベークすることにより、配向膜を形成する（ステップＳ１４）。
【００５８】
次に、対向基板３２０の製造工程Ｐ２において、透明基板３２１の表面に、透明電極層３２２を例えば蒸着法やスパッタ法により一様に成膜する（ステップＳ２１）。そして、この透明電極層３２２の表面に、例えばスピンコート法により垂直配向剤を塗布し、ベークすることにより、配向膜を形成する（ステップＳ２２）。
【００５９】
次に、液晶層形成および封止を行う（ステップＳ３１）。具体的には、まず、ステップＳ１１〜Ｓ１４において製造した基板の周縁領域に、例えばＵＶ硬化性や熱硬化性のシール部を印刷する。そして、このシール部に囲まれた領域内に液晶を滴下注入することにより液晶層３００を形成する。この後、この基板の上に、ステップＳ２１，Ｓ２２において製造した基板を、例えば感光性のアクリル樹脂よりなるスペーサを介して重ね合わせ、シール部を硬化させる。このようにして液晶層３００が封止される。
【００６０】
次に、偏光板を貼り合わせる（ステップＳ３２）。具体的には、透明基板３１１のうち液晶層３００を封止している面とは反対の面にλ／４板３１５および偏光板３１６をこの順に貼り合わせ、透明基板３２１のうち液晶層３００を封止している面とは反対の面にλ／４板３２３および偏光板３２４をこの順に貼り合わせる。
【００６１】
以上により、液晶バリア部１０が完成する。
【００６２】
このように、液晶バリア部１０では、ステップＳ１２において、信号配線Ｌ１１，Ｌ１２Ａ，Ｌ１２Ｂと引込配線Ｌinを交差させるための絶縁層３１３と、サブ電極領域１７０の中央付近の絶縁層３１３とを同時に形成するようにしたので、製造工程をシンプルにすることができる。
【００６３】
（比較例）
次に、比較例に係る立体表示装置１Ｒと対比して、本実施の形態の作用を説明する。本比較例に係る立体表示装置１Ｒの液晶バリア部１０Ｒは、透明電極層３１４に突起部分３３０を設ける代わりに、共通電極（透明電極層３２２）にホールを設けたものである。その他の構成は、本実施の形態（図１）と同様である。
【００６４】
図１５は、本比較例に係る液晶バリア部１０Ｒにおける透明電極層３１４，３２２の一構成例を表すものである。図１６は、図１５に示した液晶バリア部１０ＲのＸＶＩ−ＸＶＩ矢視方向の断面構成を表すものである。
【００６５】
図１５に示したように、透明電極層３１４は、透明電極１１０Ｒ，１２０Ｒを有している。透明電極１１０Ｒ，１２０Ｒには、本実施の形態に係る液晶バリア部１０の場合と同様に、それぞれ、開閉部１１，１２の延伸方向と同じ方向に沿ってサブ電極領域１７０が並設されている。また、透明電極層３２２は、図１５，１６に示したように、各サブ電極領域１７０の中心付近に対応する位置に、ホール３３０Ｒを有している。すなわち、本実施の形態に係る液晶バリア部１０（図６，７）では、透明電極層３１４に突起部分３３０を設けたが、本比較例に係る液晶バリア部１０Ｒ（図１５，１６）では、その突起部分３３０の代わりに、透明電極層３２２にホール３３０Ｒを設けている。
【００６６】
図１７は、液晶バリア部１０Ｒにおける液晶分子の振る舞いを模式的に表すものであり、図１３は、開閉部１２における液晶分子の振る舞いを模式的に表すものであり、（Ａ）は開閉部１２が閉状態（遮断状態）の場合を示し、（Ｂ）は開閉部１２が開状態（透過状態）の場合を示す。本比較例に係る液晶バリア部１０Ｒでも、透明電極１２０に電圧Ｖが印加された場合には、図１７（Ｂ）に示したように、本実施の形態に係る液晶バリア部１０の場合と同様に、等電位面ＳＣＶがホール３３０Ｒに対応する領域においてややゆがんだものになる。これにより、透明電極１２０に印加される電圧が０Ｖ（図１７（Ａ））から電圧Ｖ（図１７（Ｂ））に変化すると、液晶分子Ｍは、図１７（Ｂ）に示したように容易に倒れて配向することができる。すなわち、本比較例に係るホール３３０Ｒは、本実施の形態に係る突起部分３３０と同様の効果を有するものである。
【００６７】
図１８は、液晶バリア部１０Ｒの製造工程を表すものである。液晶バリア部１０Ｒの製造工程は、本実施の形態の場合（図１４）において、絶縁層３１３の形成工程（ステップＳ１２）を絶縁層３１３の形成工程（ステップＳ１２Ｒ）に変更するとともに、透明電極層３２２の形成工程（ステップＳ２１）の後において、ホール３３０Ｒを形成する工程（ステップＳ２１Ｒ）を追加したものである。
【００６８】
絶縁層３１３の形成工程（ステップＳ１２Ｒ）では、絶縁層３１３を、例えばプラズマＣＶＤ法により、所望の厚みとなるように成膜した後、信号配線Ｌ１１，Ｌ１２Ａ，Ｌ１２Ｂの上部などにパターンが形成されるように、フォトリソグラフィ法によりパターニングする。すなわち、本実施の形態に係るステップＳ１２では、サブ電極領域１７０に対応する領域の中央付近にもパターンが形成されるようにパターニングしたが、本比較例に係るステップＳ１２Ｒでは、この部分にはパターンを形成しない。
【００６９】
また、ホール３３０Ｒの形成工程（ステップＳ２１Ｒ）では、前の工程（ステップＳ２１）において一様に成膜した透明電極層３２２を、フォトリソグラフィ法によりパターニングし、ホール３３０Ｒを形成する。
【００７０】
このように、本比較例に係る液晶バリア部１０Ｒでは、ホール３３０Ｒを、専用の製造工程（ステップＳ２１Ｒ）によって形成している。一方、本実施の形態に係る液晶バリア部１０では、このホール３３０Ｒと同様の効果を有する突起部分３３０を、信号配線Ｌ１１，Ｌ１２Ａ，Ｌ１２Ｂと引込配線Ｌinを交差させるための絶縁層３１３を形成する工程（ステップＳ１２）を利用して形成している。これにより、本実施の形態に係る立体表示装置１では、製造工程をシンプルにすることができる。
【００７１】
［効果］
以上のように本実施の形態では、突起部分を設けたので、液晶分子を配向しやすくすることができる。
【００７２】
また、本実施の形態では、突起部分を、もともと設けられている、信号配線と引込配線Ｌinとを交差させるための絶縁層を製造する工程を利用して形成するようにしたので、製造工程をシンプルにすることができる。
【００７３】
以上、実施の形態を挙げて本技術を説明したが、本技術はこれらの実施の形態等には限定されず、種々の変形が可能である。
【００７４】
例えば、上記実施の形態では、立体表示装置１のバックライト３０、表示部２０、液晶バリア部１０は、この順に配置したが、これに限定されるものではなく、これに代えて、図１９に示したように、バックライト３０、液晶バリア部１０、表示部２０の順に配置してもよい。
【００７５】
図２０は、本変形例に係る表示部２０および液晶バリア部１０の動作例を表すものであり、（Ａ）は、映像信号ＳＡが供給された場合を示し、（Ｂ）は映像信号ＳＢが供給された場合を示す。本変形例では、バックライト３０から射出した光は、まず液晶バリア部１０に入射する。そして、その光のうち、開閉部１２Ａ，１２Ｂを透過した光が表示部２０において変調されるとともに、６つの視点映像を出力するようになっている。
【００７６】
また、例えば、上記実施の形態等では、開閉部１２は２つのグループを構成したが、これに限定されるものではなく、これに代えて、例えば３つ以上のグループを構成するようにしてもよい。これにより、表示の分解能をさらに改善することができる。以下に、その詳細を説明する。
【００７７】
図２１は、開閉部１２が３つのグループＡ，Ｂ，Ｃを構成する場合の例を表すものである。上記実施の形態と同様に、開閉部１２ＡはグループＡに属する開閉部１２を示し、開閉部１２ＢはグループＢに属する開閉部１２を示し、開閉部１２ＣはグループＣに属する開閉部１２を示す。
【００７８】
このように、開閉部１２Ａ，１２Ｂ，１２Ｃを時分割的に交互に開放して映像を表示することにより、この変形例に係る立体表示装置は、開口部１２Ａのみをもつ場合に比べ、３倍の解像度を実現することが可能となる。言い換えれば、この立体表示装置の解像度は、２次元表示の場合に比べ１／２（＝１／６×３）で済むこととなる。
【００７９】
また、例えば、上記実施の形態では、角度αと角度θはほぼ等しいとしたが、これに限定されるものではなく、これに代えて、図２２に示したように、角度αと角度θとが互いに異なるようにしてもよい。
【００８０】
また、例えば、上記実施の形態では、一例として、開閉部１１の幅Ｅ１は、開閉部１２の幅Ｅ２より広い（Ｅ２＞Ｅ１）として図示したが、これに限定されるものではなく、開閉部１１の幅Ｅ１と開閉部１２の幅Ｅ２とが互いに等しく（Ｅ１＝Ｅ２）してもよいし、開閉部１１の幅Ｅ１を、開閉部１２の幅Ｅ２より狭く（Ｅ１＜Ｅ２）してもよい。図２３に、開閉部１１の幅Ｅ１と開閉部１２の幅Ｅ２とを等しく（Ｅ１＝Ｅ２）した場合の一例を示す。
【００８１】
また、例えば、上記実施の形態では、液晶バリア部１０の開閉部１１，１２は斜め方向に延伸するものとしたが、これに限定されるものではなく、これに代えて、例えば、図２４（Ａ）に示したステップバリア型にしてもよいし、図２４（Ｂ）に示したようにＹ軸方向に延伸するようにしてもよい。ステップバリア形式については、例えば、特開２００４−２６４７６２に記載がある。
【００８２】
また、例えば、上記実施の形態では、液晶バリア部１０の両面にそれぞれ偏光板３１６，３２４を設けるようにしたが、これに限定されるものではなく、これに代えて、例えば、表示部２０側の偏光板を、表示部２０の偏光板２０６ｂと共用することにより省いてもよい。
【００８３】
なお、本技術は以下のような構成とすることができる。
【００８４】
（１）映像を表示する表示部と、
開状態と閉状態とを切り換え可能な複数の液晶バリアを有するバリア部と
を備え、
前記バリア部は、
前記液晶バリアに対応する領域に設けられ、それぞれが突起部分を有する複数のサブ電極を含むバリア電極と、
前記複数の液晶バリアに対応する領域の全面に共通に設けられた共通電極と、
前記バリア電極と前記共通電極との間に設けられた液晶層と
を含む
表示装置。
【００８５】
（２）前記バリア部は、前記バリア電極と、支持基板上の前記突起部分に対応する部分に形成された突起パターンとを有する駆動基板を含み、
前記バリア電極は、前記支持基板上および前記突起パターン上の、前記液晶バリアに対応する領域に形成されている
上記（１）に記載の表示装置。
【００８６】
（３）前記駆動基板は、
前記バリア電極および前記突起パターンのどちらとも異なる層に形成された、駆動信号を伝える複数の信号配線と、
前記バリア電極と同じ層に、前記信号配線のうちの少なくとも一本と交差するように形成された、前記信号配線の前記駆動信号を前記バリア電極に供給する引込配線と、
前記信号配線が形成された層と前記引込配線が形成された層との間の層において、その交差部分に形成された絶縁層と
をさらに有し、
前記突起パターンは、前記絶縁層と同じ材料で形成されている
上記（２）に記載の表示装置。
【００８７】
（４）前記突起部分は、各サブ電極の中央に対応する位置に形成されている
上記（１）から（３）のいずれかに記載の表示装置。
【００８８】
（５）前記サブ電極は、各液晶バリアに対応する領域内において、隣接するサブ電極と互いに接続され、
その互いに接続されたサブ電極間にはスリットが形成されている
上記（１）から（４）のいずれかに記載の表示装置。
【００８９】
（６）前記バリア部は、
前記液晶層を挟んで配置された２枚の位相板を有する
上記（１）から（５）のいずれかに記載の表示装置。
【００９０】
（７）前記バリア部は、
前記位相板の前記液晶層が配置された側とは反対側に配置された偏光板を有する
上記（６）に記載の表示装置。
【００９１】
（８）前記バリア部は、所定方向に延在する複数の第１系列の液晶バリアと複数の第２系列の液晶バリアを有する
上記（１）から（７）のいずれかに記載の表示装置。
【００９２】
（９）３次元映像表示モードおよび２次元映像表示モードを含む複数の表示モードを有し、
前記３次元映像表示モードでは、前記表示部が複数の異なる視点映像を表示し、前記複数の第１系列の液晶バリアが透過状態になるとともに、前記複数の第２系列の液晶バリアが遮断状態になることにより、３次元映像を表示し、
前記２次元映像表示モードでは、前記表示部が１つの視点映像を表示し、前記複数の第１系列の液晶バリアおよび前記複数の第２系列の液晶バリアが透過状態になることにより、２次元映像を表示する
上記（８）に記載の表示装置。
【００９３】
（１０）前記複数の第１系列の液晶バリアは、複数のバリアグループにグループ分けされ、
前記３次元映像表示モードでは、前記複数の第１系列の液晶バリアは、バリアグループごとに、時分割的に開状態および閉状態との間で切り換わる
上記（９）に記載の表示装置。
【００９４】
（１１）バックライトをさらに備え、
前記表示部は液晶表示部であり、
前記液晶表示部は、前記バックライトと前記バリア部との間に配置されている
上記（１）から（１０）のいずれかに記載の表示装置。
【００９５】
（１２）バックライトをさらに備え、
前記表示部は液晶表示部であり、
前記バリア部は、前記バックライトと前記液晶表示部との間に配置されている
上記（１）から（１０）のいずれかに記載の表示装置。
【００９６】
（１３）開状態と閉状態とを切り換え可能な液晶バリアに対応する領域に設けられ、それぞれが突起部分を有する複数のサブ電極を含むバリア電極と、
前記複数の液晶バリアに対応する領域の全面に共通に設けられた共通電極と、
前記バリア電極と前記共通電極との間に設けられた液晶層と
を備えた
バリア装置。
【００９７】
（１４）複数のサブ電極を含むバリア電極を形成する駆動基板製造工程と、
対向基板製造工程と、
前記駆動基板と前記対向基板との間に液晶層を封止する液晶層封止工程と
を含み、
前記駆動基板製造工程は、
支持基板に複数の信号配線を形成する信号配線形成工程と、
絶縁層を選択的に形成する絶縁層形成工程と、
前記信号配線が形成された層とは異なる層に、前記バリア電極、および前記信号配線から前記バリア電極への引込配線を形成する電極形成工程と
を含み、
前記絶縁層形成工程では、前記信号配線と前記引込配線との交差部分、および各サブ電極に対応する領域の一部に、前記絶縁層を形成する
バリア装置の製造方法。
【符号の説明】
【００９８】
１…立体表示装置、１０…液晶バリア部、１１，１２，１２Ａ，１２Ｂ，１２Ｃ…開閉部、２０…表示部、３０…バックライト、４１…制御部、４２…バックライト駆動部、４３…バリア駆動部、５０…表示駆動部、５１…タイミング制御部、５２…ゲートドライバ、５３…データドライバ、１１０，１２０…透明電極、１６０…スリット、１７０…サブ電極領域、２０１…駆動基板、２０２…画素電極、２０３…液晶層、２０４…対向電極、２０５…待機押基板、２０６ａ，２０６ｂ…偏光板、３００…液晶層、３１０…駆動基板、３１１…透明基板、３１２…信号配線層、３１３…絶縁層、３１４…透明電極層、３１５…λ／４板、３１６…偏光板、３２０…対向基板、３２１…透明基板、３２２…透明電極層、３２３…λ／４板、３２４…偏光板、３３０…突起部分、Ｃ…保持容量素子、ＣＢＬ…バックライト制御信号、ＣＢＲ…バリア制御信号、Ｃont…コンタクト、ＧＣＬ…ゲート線、ＬＣ…液晶素子、Ｌin…引込配線、Ｌ１１，Ｌ１２Ａ，Ｌ１２Ｂ…信号配線、Ｍ…液晶分子、Ｐix…画素、Ｓ，Ｓ１，Ｓdisp，ＳＡ，ＳＢ…映像信号、ＳＣＶ…等電位面、ＳＧＬ…データ線、ＳＰix…サブ画素、Ｔｒ…ＴＦＴ素子。
【図１】
2012252274.tif 000003
【図２】
2012252274.tif 000004
【図３】
2012252274.tif 000005
【図４】
2012252274.tif 000006
【図５】
2012252274.tif 000007
【図６】
2012252274.tif 000008
【図７】
2012252274.tif 000009
【図８】
2012252274.tif 000010
【図９】
2012252274.tif 000011
【図１０】
2012252274.tif 000012
【図１１】
2012252274.tif 000013
【図１２】
2012252274.tif 000014
【図１３】
2012252274.tif 000015
【図１４】
2012252274.tif 000016
【図１５】
2012252274.tif 000017
【図１６】
2012252274.tif 000018
【図１７】
2012252274.tif 000019
【図１８】
2012252274.tif 000020
【図１９】
2012252274.tif 000021
【図２０】
2012252274.tif 000022
【図２１】
2012252274.tif 000023
【図２２】
2012252274.tif 000024
【図２３】
2012252274.tif 000025
【図２４】
2012252274.tif 000026